(57)【要約】【課題】撮像素子で生成された画像データに基づく画像を表示手段に連続して表示する場合に、画像データに縦方向又は横方向の画像処理のうちいずれか一方の画像処理を施すときであっても、表示品位を維持する。【解決手段】被写体を撮像して画像データを生成する撮像手段３０１と、前記画像データに画像処理を施す画像処理手段３０５ｂと、前記画像処理手段３０５ｂで画像処理を施された画像データに基づく画像を表示する表示手段１０４と、自装置の傾きを検出する傾き検出手段３０５ｄと、を備え、前記画像処理手段３０５ｂは、前記傾き検出手段３０５ｄで検出された自装置の傾きに基づいて、前記画像データに縦方向又は横方向の画像処理のうちいずれか一方の画像処理を施す、ことを特徴とする。【選択図】図３
2010166295.tif 000002
【特許請求の範囲】
【請求項１】
被写体を撮像して画像データを生成する撮像手段と、
前記画像データに画像処理を施す画像処理手段と、
前記画像処理手段で画像処理を施された画像データに基づく画像を表示する表示手段と、
自装置の傾きを検出する傾き検出手段と、を備え、
前記画像処理手段は、
前記傾き検出手段で検出された自装置の傾きに基づいて、前記画像データに縦方向又は横方向の画像処理のうちいずれか一方の画像処理を施す、
ことを特徴とする撮像装置。
【請求項２】
前記画像処理手段は、
前記画像データに前記縦方向の画像処理を施している状態から前記画像データに前記横方向の画像処理を施している状態への切り替えに係る第１の閾値と、
前記画像データに前記横方向の画像処理を施している状態から前記画像データに前記縦方向の画像処理を施している状態への切り替えに係る第２の閾値と、を有する、
ことを特徴とする請求項１に記載の撮像装置。
【請求項３】
前記第１の閾値と前記第２の閾値とは、
互いに異なる、
ことを特徴とする請求項２に記載の撮像装置。
【請求項４】
前記縦方向又は横方向の画像処理は、
前記画像データ又は前記画像データの一部を縦方向又は横方向に拡大又は縮小する画像処理である、
ことを特徴とする請求項１から請求項３のいずれかに記載の撮像装置。
【請求項５】
前記表示手段は、
前記撮像手段で生成され、前記画像処理手段で画像処理を施された画像データに基づく画像を所定の時間間隔で連続して表示する、
ことを特徴とする請求項１から請求項４のいずれかに記載の撮像装置。
【発明の詳細な説明】
【技術分野】
【０００１】
本発明は、撮像装置に関するものであり、特には、撮像装置の傾きに基づいて、画像処理方法を切り替える技術に関するものである。
【背景技術】
【０００２】
特許文献１には、複数の露出制御用のプログラムを塔載したプログラムＡＥ撮影可能なカメラにおいて、撮影時のカメラの姿勢が縦位置であるか横位置であるかを判別する判別手段と、該判別手段により縦位置撮影であることが判別された場合には、横位置撮影時よりもシャッター速度が速くなる方のプログラムを選択するプログラム選択手段とを設けたことを特徴とするプログラムＡＥ撮影可能なカメラが記載されている。
【０００３】
通常の横位置での撮影時には自然にカメラを持って構えることができるが、縦位置にして撮影する場合はその持ち方や構え方に若干無理を生じるため、横位置撮影時に比べてレリーズを行いにくいものであった。このため従来においては、横位置撮影時には手振れがおきないシャッター速度（露出時間）でも縦位置撮影時には手振れを生じてしまうといったことがあった。 
【０００４】
特許文献１に記載のプログラムＡＥ撮影可能なカメラは、上述した問題を解決し、縦位置撮影における手振れを減少させることができる。
【０００５】
また、特許文献２には、画像データに関連付けられた撮影装置の向きに関する情報等を用いて画像データの表示形態を選択する工程と、選択された表示形態により画像データの表示を行う工程と、を含む画像表示方法が記載されている。
【特許文献１】特開昭６３−０１１９１７号公報
【特許文献２】特開２００５−０１２６７４号公報
【発明の開示】
【発明が解決しようとする課題】
【０００６】
しかしながら、特許文献１に記載の技術は、撮影条件を横位置撮影時と縦位置撮影時とで切り替える技術であって、撮像素子で生成された画像データに基づく画像を表示手段に連続して表示する技術ではない。同様に、特許文献２に記載の技術は、撮影した画像データに関連付けられた撮影情報である撮影装置の向きに関する情報等を用いて選択された表示形態により画像データの表示を行う技術であって、撮像素子で生成された画像データに基づく画像を表示手段に連続して表示する技術ではない。
【０００７】
撮像素子で生成された画像データに基づく画像を表示手段に連続して表示する場合に、画像データに縦方向又は横方向の画像処理のうちいずれか一方の画像処理を施すときは、画像データに縦方向の画像処理を施している状態から画像データに横方向の画像処理を施している状態への切り替え又は画像データに横方向の画像処理を施している状態から画像データに縦方向の画像処理を施している状態への切り替えが頻繁に発生すると表示品位を損なうという課題がある。
【０００８】
本発明は、前記課題を解決し、撮像素子で生成された画像データに基づく画像を表示手段に連続して表示する場合に、画像データに縦方向又は横方向の画像処理のうちいずれか一方の画像処理を施すときであっても、画像データに縦方向の画像処理を施している状態から画像データに横方向の画像処理を施している状態への切り替え又は画像データに横方向の画像処理を施している状態から画像データに縦方向の画像処理を施している状態への切り替えが頻繁に発生することなく、表示品位を維持することができる撮像装置を提供することを目的とする。
【課題を解決するための手段】
【０００９】
前記課題を解決するために、本発明の撮像装置は、被写体を撮像して画像データを生成する撮像手段と、前記画像データに画像処理を施す画像処理手段と、前記画像処理手段で画像処理を施された画像データに基づく画像を表示する表示手段と、自装置の傾きを検出する傾き検出手段と、を備え、前記画像処理手段は、前記傾き検出手段で検出された自装置の傾きに基づいて、前記画像データに縦方向又は横方向の画像処理のうちいずれか一方の画像処理を施す、ことを特徴とする。
【００１０】
前記画像処理手段は、前記画像データに前記縦方向の画像処理を施している状態から前記画像データに前記横方向の画像処理を施している状態への切り替えに係る第１の閾値と、前記画像データに前記横方向の画像処理を施している状態から前記画像データに前記縦方向の画像処理を施している状態への切り替えに係る第２の閾値と、を有する、ことを特徴とする。
【００１１】
前記第１の閾値と前記第２の閾値とは、互いに異なる、ことを特徴とする。
【００１２】
これによって、撮像素子で生成された画像データに基づく画像を表示手段に連続して表示する場合に、画像データに縦方向又は横方向の画像処理のうちいずれか一方の画像処理を施すときであっても、表示品位を維持することができる撮像装置を提供することができる。
【００１３】
前記縦方向又は横方向の画像処理は、前記画像データ又は前記画像データの一部を縦方向又は横方向に拡大又は縮小する画像処理である、ことを特徴とする。
【００１４】
これによって、例えば、人物を実際よりも細く表現したり、太く表現したりすることができるという効果を得ることができる。
【００１５】
前記表示手段は、前記撮像手段で生成され、前記画像処理手段で画像処理を施された画像データに基づく画像を所定の時間間隔で連続して表示する、ことを特徴とする。
【発明の効果】
【００１６】
以上のように、本発明によれば、撮像素子で生成された画像データに基づく画像を表示手段に連続して表示する場合に、画像データに縦方向又は横方向の画像処理のうちいずれか一方の画像処理を施すときであっても、表示品位を維持することができるという効果を奏する。
【発明を実施するための最良の形態】
【００１７】
（実施の形態）
（１．構成）
（１−１．外観）
本発明の実施の形態に係るデジタルカメラについて、図面を参照しながら説明する。
【００１８】
図１は、本発明の実施の形態に係るデジタルカメラの外観図である。図１（ａ）は、正面図であり、図１（ｂ）は、背面図である。
【００１９】
デジタルカメラ１００の正面（図１（ａ）参照）には、撮像光学系１０１とフラッシュ１０２が配されている。撮像光学系１０１は、被写体像をデジタルカメラ１００内の撮像素子に結像させる。フラッシュ１０２は、暗所での撮影において、閃光を発して撮影光量の不足を補う。デジタルカメラ１００の上面には、シャッターボタン１０３が配されている。シャッターボタン１０３を押下すると、撮像素子に結像した被写体像に基づく画像データがメモリカード等の記録媒体に記録される。
【００２０】
デジタルカメラ１００の背面（図１（ｂ）参照）には、液晶モニター１０４、モードダイヤル１０５、各種操作ボタン１０６が配されている。液晶モニター１０４には、撮像素子に結像した被写体像に基づく画像が表示される。従って、液晶モニター１０４に表示された画像を観察しながら撮影のための構図を決定することができる。また、液晶モニター１０４は、記録媒体に記録された画像データに基づく画像を表示することができる。モードダイヤル１０５を操作することで、デジタルカメラ１００の動作モードを決定することができる。デジタルカメラ１００の動作モードには、撮影モードと再生モードがある。撮影モードは、シャッターボタン１０３を押下することにより、撮像素子に結像した被写体像に基づく画像データをメモリカード等の記録媒体に記録することができる動作モードである。撮影モードは、さらに全自動撮影モード、プログラム撮影モード、シャッター速度優先撮影モード、絞り優先撮影モード、シーン別撮影モード、変身モードに細分される。再生モードは、記録媒体に記録された画像データに基づく画像を液晶モニター１０４に表示することができる動作モードである。各種操作ボタン１０６を操作することで、撮影モードと再生モードにおける、さらに詳細な設定をすることができる。すなわち、撮影モードにおいては、露出補正、ホワイトバランス調整、フラッシュ１０２の発光に関する設定等を行うことができる。また、再生モードにおいては、液晶モニター１０４に表示された画像の拡大や縮小、液晶モニター１０４に同時に表示する画像の数の設定、メモリカード等の記録媒体に記録された画像データの検索等を行うことができる。
（１−２．変身モード）
図２は、変身モードを説明する概略図である。
【００２１】
変身モードとは、撮像素子に結像した被写体像を信号処理部によって縦方向又は横方向のいずれか一方向に引き伸ばして液晶モニター１０４に表示する撮影モードである。
【００２２】
変身モードは、モードダイヤル１０５を操作することで設定することができる。また、撮像素子に結像した被写体像を縦方向に引き伸ばすか、横方向に引き伸ばすかは、各種操作ボタン１０６を操作することで設定することができる。変身モードにおいてシャッターボタン１０３を押下すると、縦方向又は横方向のいずれか一方向に引き伸ばされた画像データがメモリカード等の記録媒体に記録される。
【００２３】
このように、撮像素子に結像した被写体像に信号処理を施して液晶モニター１０４に表示したり、信号処理の施された画像データを記録したりすることによって、これまでにない多彩な写真表現を楽しむことができる。
【００２４】
図２（ａ）は、撮像素子に結像した被写体像を横方向に引き伸ばして液晶モニター１０４に表示している状態を示す。図２（ａ）上段は、デジタルカメラ１００を横に構えた状態を示し、図２（ａ）下段は、デジタルカメラ１００を縦に構えた状態を示す。
【００２５】
図２（ｂ）は、撮像素子に結像した被写体像を縦方向に引き伸ばして液晶モニター１０４に表示している状態を示す。図２（ｂ）上段は、デジタルカメラ１００を横に構えた状態を示し、図２（ｂ）下段は、デジタルカメラ１００を縦に構えた状態を示す。
【００２６】
図２（ａ）、（ｂ）のいずれにおいても、デジタルカメラ１００を横に構えた状態から縦に構えた状態に変更すると（上段から下段へ変更すると）、撮像素子に結像した被写体像を撮像素子の長辺方向に引き伸ばすか、短辺方向に引き伸ばすかを切り替えなければならない。すなわち、図（ａ）上段では、撮像素子に結像した被写体像が撮像素子の長辺方向に引き伸ばされているが、図２（ａ）下段では、撮像素子に結像した被写体像が撮像素子の短辺方向に引き伸ばされている。また、図２（ｂ）上段では、撮像素子に結像した被写体像が撮像素子の短辺方向に引き伸ばされているが、図２（ｂ）下段では、撮像素子に結像した被写体像が撮像素子の長辺方向に引き伸ばされている。デジタルカメラ１００を縦に構えた状態から横に構えた状態に変更する（下段から上段へ変更する）場合も同様に、撮像素子に結像した被写体像を撮像素子の長辺方向に引き伸ばすか、短辺方向に引き伸ばすかを切り替えなければならない。
【００２７】
撮像素子に結像した被写体像を撮像素子の長辺方向に引き伸ばすか、短辺方向に引き伸ばすかは、手振れ補正レンズにかかる負荷を縦横判別部によって検出することで行う。デジタルカメラ１００を横に構えているか、縦に構えているかを判別することができるので、液晶モニター１０４に被写体像を表示した状態で、デジタルカメラ１００の姿勢を変更しても、被写体像を引き伸ばす方向は、被写体に対して常に同じ方向となる。
（１−３．ブロック構成）
図３は、本発明の実施の形態に係るデジタルカメラのブロック図である。
【００２８】
撮像光学系１０１は、被写体像を撮像素子であるＣＣＤイメージセンサー３０１に結像させる。撮像光学系１０１は、複数のレンズ群で構成されており、手振れ補正レンズ１０１ａを含む。手振れ補正レンズ１０１ａは、撮像光学系１０１内で、光軸１０１ｂと垂直な平面内を移動することによって、手振れによるデジタルカメラ１００の動きを打ち消す働きを担う。
【００２９】
ＣＣＤイメージセンサー３０１は、結像した被写体像に基づく画像信号を出力する。ＡＦＥ３０２は、ＣＣＤイメージセンサー３０１の出力するアナログ信号である画像信号をデジタル信号である画像データに変換し、バス３０３を経由してＳＤＲＡＭ３０４に格納する。本発明の実施の形態に係るデジタルカメラ１００では、撮像素子としてＣＣＤイメージセンサー３０１を示したが、ＣＭＯＳイメージセンサー等その他の撮像素子であっても構わない。
【００３０】
信号処理ＬＳＩ３０５は、ＣＰＵ３０５ａ、信号処理部３０５ｂ、動き検出部３０５ｃ縦横判別部３０５ｄで構成されている。ＣＰＵ３０５ａは、デジタルカメラ１００全体の制御を行う。信号処理部３０５ｂは、ＡＦＥ３０２によってＳＤＲＡＭ３０４に格納された画像データを液晶モニター１０４での表示に適した画像データに変換し、液晶モニター１０４に出力する。シャッターボタン１０３の半押しによって合焦動作が開始され、全押しによって撮影が行われる。信号処理部３０５ｂは、ＳＤＲＡＭ３０４に格納された画像データが、シャッターボタン１０３の全押しによって格納された画像データであるときは、メモリカード３０６での記録に適した画像データに変換し、メモリカード３０６に記録する。メモリカード３０６に記録された画像データは、信号処理部３０５ｂによって、液晶モニター１０４での表示に適した画像データに変換され、液晶モニター１０４に表示される。
【００３１】
また、信号処理部３０５ｂは、ＣＰＵ３０５ａからの制御信号に基づいて、ＡＦＥ３０２によってＳＤＲＡＭ３０４に格納された画像データを縦方向又は横方向のいずれか一方向に引き伸ばした画像データに変換する。さらに、縦方向又は横方向のいずれか一方向に引き伸ばした画像データを液晶モニター１０４での表示に適した画像データに変換し、液晶モニター１０４に出力したり、メモリカード３０６での記録に適した画像データに変換し、メモリカード３０６に記録したりする。
【００３２】
ジャイロセンサー３０７は、デジタルカメラ１００の動きに対応した動き信号を出力する。動き検出部３０５ｃは、ジャイロセンサー３０７の出力する動き信号をＣＰＵ３０５ａに出力する。ＣＰＵ３０５ａは、動き検出部３０５ｃから出力された動き信号に基づいて、デジタルカメラ１００の動きを打ち消す方向に手振れ補正レンズ１０１ａを動かすようレンズ駆動回路３０８に制御信号を送る。
【００３３】
縦横判別部３０５ｄは、ＣＰＵ３０５ａとレンズ駆動回路３０８の間に位置し、ＣＰＵ３０５ａからの制御信号をレンズ駆動回路３０８に送る一方、手振れ補正レンズ１０１ａを光軸１０１ｂの中心に位置させるためにレンズ駆動回路３０８が必要とする駆動電圧を検出する。そして、手振れ補正レンズ１０１ａを光軸１０１ｂの中心に位置させるためにレンズ駆動回路３０８が必要とする駆動電圧に基づいて、デジタルカメラ１００が横に構えられているか、縦に構えられているかを判別し、判別結果をＣＰＵ３０５ａに通知する。なお、図３では、レンズ駆動回路３０８を一つしか記載していないが、レンズ駆動回路３０８は、光軸１０１ｂに垂直な平面内でＣＣＤイメージセンサー３０１の長辺方向に平行な方向と短辺方向に平行な方向のそれぞれに設けられている。
（２．動作）
（２−１．概要）
図４は、変身モードの処理の流れを示すフローチャートである。
【００３４】
変身モードは、モードダイヤル１０５を操作することで設定することができる。また、ＣＣＤイメージセンサー３０１に結像した被写体像を縦方向に引き伸ばすか、横方向に引き伸ばすかは、各種操作ボタン１０６を操作することで設定することができる（Ｓ４０１）。
【００３５】
被写体像を引き伸ばす方向が設定されると、ＣＰＵ３０５ａは、縦横判別部３０５ｄの判別結果に基づいて、デジタルカメラ１００の姿勢を認識する（Ｓ４０２）。そして、ＣＣＤイメージセンサー３０１に結像した被写体像をＣＣＤイメージセンサー３０１の長辺方向又は短辺方向のいずれか一方向に引き伸ばして液晶モニター１０４に表示するよう信号処理部３０５ｂに制御信号を送る（Ｓ４０３）。
（２−２．姿勢判別−波形）
図５は、姿勢判別の処理を説明する波形図である。図５(ａ)は、手振れ補正レンズ１０１ａを光軸１０１ｂの中心に位置させるためにレンズ駆動回路３０８が必要とする駆動電圧を示す。ただし、レンズ駆動回路３０８のうち、ＣＣＤイメージセンサー３０１の長辺方向に平行な方向に設けられたレンズ駆動回路の駆動電圧を示している。図５（ｂ）は、姿勢判別信号を示す。図５（ｃ）は、デジタルカメラ１００の姿勢を示す。
【００３６】
デジタルカメラ１００を横に構えた状態（図５（ｃ）のＡ）から時計回りに回転させていくと、デジタルカメラ１００を斜めに構えた状態（図５（ｃ）のＢ）を経由して、デジタルカメラ１００を縦に構えた状態（図５（ｃ）のＣ）になる。この状態から反時計回りに回転させていくと、デジタルカメラ１００を斜めに構えた状態（図５（ｃ）のＤ）を経由して、デジタルカメラ１００を横に構えた状態（図５（ｃ）のＥ）に戻る。
【００３７】
重力に逆らって手振れ補正レンズ１０１ａを光軸１０１ｂの中心に位置させるので、手振れ補正レンズ１０１ａを光軸１０１ｂの中心に位置させるためにレンズ駆動回路３０８が必要とする駆動電圧（図５（ａ））は、デジタルカメラ１００を横に構えた状態（図５（ｃ）のＡとＥ）が最も低く、デジタルカメラ１００を縦に構えた状態（図５（ｃ）のＣ）が最も高くなる。デジタルカメラ１００を斜めに構えた状態（図５（ｃ）のＢとＤ）では、これらの中間となる。
【００３８】
手振れ補正レンズ１０１ａを光軸１０１ｂの中心に位置させるためにレンズ駆動回路３０８が必要とする駆動電圧（図５（ａ））に対して、デジタルカメラ１００が横に構えられているか、縦に構えられているかの縦横境界値を基準に閾値１と閾値２を設定する。手振れ補正レンズ１０１ａを光軸１０１ｂの中心に位置させるためにレンズ駆動回路３０８が必要とする駆動電圧（図５（ａ））が、縦横境界値よりも高い場合は縦に構えられているレンジにあり、縦横境界値よりも低い場合は横に構えられているレンジにある。
【００３９】
しかし、デジタルカメラ１００が横に構えられているか、縦に構えられているかの判別においては、デジタルカメラ１００を横に構えた状態（図５（ｃ）のＡ）からデジタルカメラ１００を縦に構えた状態（図５（ｃ）のＣ）へ変更した場合とデジタルカメラ１００を縦に構えた状態（図５（ｃ）のＣ）からデジタルカメラ１００を横に構えた状態（図５（ｃ）のＥ）へ変更した場合で閾値を異ならせる。
【００４０】
すなわち、デジタルカメラ１００を横に構えた状態（図５（ｃ）のＡ）からデジタルカメラ１００を縦に構えた状態（図５（ｃ）のＣ）へ変更した場合の閾値が閾値２であり、デジタルカメラ１００を縦に構えた状態（図５（ｃ）のＣ）からデジタルカメラ１００を横に構えた状態（図５（ｃ）のＥ）へ変更した場合の閾値が閾値１である。
【００４１】
従って、姿勢判別信号（図５（ｂ））は、図５（ｂ）のｔ１で低電位から高電位に変化し、図５(ｂ)のｔ２で高電位から低電位に変化する。ＣＰＵ３０５ａは、姿勢判別信号（図５（ｂ））が低電位のときは、デジタルカメラ１００が横に構えられていると認識し、姿勢判別信号（図５（ｂ））が高電位のときは、デジタルカメラ１００が縦に構えられていると認識する。
【００４２】
なお、手振れ補正レンズ１０１ａを光軸１０１ｂの中心に位置させるためにレンズ駆動回路３０８が必要とする駆動電圧として、レンズ駆動回路３０８のうち、ＣＣＤイメージセンサー３０１の短辺方向に平行な方向に設けられたレンズ駆動回路の駆動電圧を用いてもよい。レンズ駆動回路３０８のうち、ＣＣＤイメージセンサー３０１の短辺方向に平行な方向に設けられたレンズ駆動回路の駆動電圧は、ＣＣＤイメージセンサー３０１の長辺方向に平行な方向に設けられたレンズ駆動回路の駆動電圧（図５（ａ））を上下反転した波形あるいはＣＣＤイメージセンサー３０１の長辺方向に平行な方向に設けられたレンズ駆動回路の駆動電圧（図５（ａ））の位相がずれた波形となる。
【００４３】
さらに、レンズ駆動回路３０８のうち、ＣＣＤイメージセンサー３０１の長辺方向に平行な方向に設けられたレンズ駆動回路の駆動電圧とＣＣＤイメージセンサー３０１の短辺方向に平行な方向に設けられたレンズ駆動回路の駆動電圧の両方を用いてもよい。その場合は、それぞれについて姿勢判別信号を生成し、二つの姿勢判別信号の論理積をとる等すればよい。また、それぞれのレンズ駆動回路の駆動電圧に基づいて、テーブルを参照して姿勢判別信号を生成することにしてもよい。
（２−３．姿勢判別−フロー）
図６は、姿勢判別の処理の流れを示すフローチャートである。
【００４４】
まず、縦横判別部３０５ｄは、手振れ補正レンズ１０１ａを光軸１０１ｂの中心に位置させるためにレンズ駆動回路３０８が必要とする駆動電圧を検出する（Ｓ６０１）。
【００４５】
次に、姿勢判別の初期化が完了しているか否かを確認する（Ｓ６０２）。電源が投入されてから一度も姿勢判別が行われていない場合（Ｓ６０２でＮｏ）は、姿勢判別の初期化を行う（Ｓ６０３）。姿勢判別の初期化（Ｓ６０３）では、判別用履歴を横に構えられている状態に設定する。ここで、横に構えられている状態は、姿勢判別の初期値である。一方、姿勢判別の初期化が完了している場合（Ｓ６０２でＹｅｓ）は、Ｓ６０１で検出した手振れ補正レンズ１０１ａを光軸１０１ｂの中心に位置させるためにレンズ駆動回路３０８が必要とする駆動電圧と閾値の比較を行なう。
【００４６】
Ｓ６０１で検出した手振れ補正レンズ１０１ａを光軸１０１ｂの中心に位置させるためにレンズ駆動回路３０８が必要とする駆動電圧が閾値１よりも低い場合（Ｓ６０４でＹｅｓ）は、横に構えられている状態であると判別する（Ｓ６０５）。そして、判別用履歴を横に構えられている状態に更新する（Ｓ６０６）。
【００４７】
Ｓ６０１で検出した手振れ補正レンズ１０１ａを光軸１０１ｂの中心に位置させるためにレンズ駆動回路３０８が必要とする駆動電圧が閾値１よりも高い場合（Ｓ６０４でＮｏ）は、閾値２との比較を行なう（Ｓ６０７）。
【００４８】
Ｓ６０１で検出した手振れ補正レンズ１０１ａを光軸１０１ｂの中心に位置させるためにレンズ駆動回路３０８が必要とする駆動電圧が閾値２よりも高い場合（Ｓ６０７でＹｅｓ）は、縦に構えられている状態であると判別する（Ｓ６０８）。そして、判別用履歴を縦に構えられている状態に更新する（Ｓ６０６）。
【００４９】
Ｓ６０１で検出した手振れ補正レンズ１０１ａを光軸１０１ｂの中心に位置させるためにレンズ駆動回路３０８が必要とする駆動電圧が閾値２よりも低い場合（Ｓ６０７でＮｏ）は、Ｓ６０１で検出した手振れ補正レンズ１０１ａを光軸１０１ｂの中心に位置させるためにレンズ駆動回路３０８が必要とする駆動電圧が閾値１と閾値２の間にある。この場合は、判別用履歴に設定されている状態を維持する。
（３．まとめ）
以上のように、Ｓ６０１で検出した手振れ補正レンズ１０１ａを光軸１０１ｂの中心に位置させるためにレンズ駆動回路３０８が必要とする駆動電圧が閾値１よりも低い場合は横に構えられている状態であると判別し、閾値２よりも高い場合は縦に構えられている状態であると判別する。そして、それぞれ判別用履歴を更新する。
【００５０】
一方、Ｓ６０１で検出した手振れ補正レンズ１０１ａを光軸１０１ｂの中心に位置させるためにレンズ駆動回路３０８が必要とする駆動電圧が閾値１と閾値２の間にある場合は、判別用履歴に設定されている状態を維持する。
【００５１】
手振れ補正レンズ１０１ａを光軸１０１ｂの中心に位置させるためにレンズ駆動回路３０８が必要とする駆動電圧が横に構えられているレンジから縦に構えられているレンジに遷移していく場合は、手振れ補正レンズ１０１ａを光軸１０１ｂの中心に位置させるためにレンズ駆動回路３０８が必要とする駆動電圧が閾値１よりも低い状態から閾値１よりも高くなり、さらに縦横境界値よりも高くなったとしても縦に構えられている状態とは判別せず、閾値２よりも高くなった時点で初めて縦に構えられている状態と判別する。
【００５２】
手振れ補正レンズ１０１ａを光軸１０１ｂの中心に位置させるためにレンズ駆動回路３０８が必要とする駆動電圧が縦に構えられているレンジから横に構えられているレンジに遷移していく場合も、手振れ補正レンズ１０１ａを光軸１０１ｂの中心に位置させるためにレンズ駆動回路３０８が必要とする駆動電圧が閾値２よりも高い状態から閾値２よりも低くなり、さらに縦横境界値よりも低くなったとしても横に構えられている状態とは判別せず、閾値１よりも低くなった時点で初めて横に構えられている状態と判別する。
【００５３】
すなわち、手振れ補正レンズ１０１ａを光軸１０１ｂの中心に位置させるためにレンズ駆動回路３０８が必要とする駆動電圧が閾値１と閾値２の間にある場合を不感帯として、意図的に応答性を鈍くさせているため、閾値１と閾値２の間で手振れ補正レンズ１０１ａを光軸１０１ｂの中心に位置させるためにレンズ駆動回路３０８が必要とする駆動電圧に変動があったとしても姿勢判別には影響を及ぼさない。
【００５４】
従って、ＣＣＤイメージセンサー３０１で生成された画像データに基づく画像を液晶モニター１０４に連続して表示する場合に、画像データに縦方向又は横方向の画像処理のうちいずれか一方の画像処理を施すときであっても、表示品位を維持することができる。
【００５５】
なお、本発明の実施の形態に係るデジタルカメラでは、姿勢判別に手振れ補正レンズ１０１ａを光軸１０１ｂの中心に位置させるためにレンズ駆動回路３０８が必要とする駆動電圧を用いたが、これに限定するものではない。要するに、撮像装置の姿勢の変化をアナログ量として取得できればよい。
【００５６】
また、本発明の実施の形態に係るデジタルカメラでは、撮像素子に結像した被写体像を信号処理部によって縦方向又は横方向のいずれか一方向に引き伸ばす画像処理を示したが、これに限定するものではない。撮像素子に結像した被写体像を信号処理部によって縦方向又は横方向のいずれか一方向に縮める処理であってもよい。要するに、縦方向又は横方向のいずれか一方向にのみ施す画像処理であればよい。
【産業上の利用可能性】
【００５７】
本発明によれば、撮像素子で生成された画像データに基づく画像を表示手段に連続して表示する場合に、画像データに縦方向又は横方向の画像処理のうちいずれか一方の画像処理を施すときであっても、表示品位を維持することができるので、デジタルカメラやデジタルビデオカメラ等の撮像装置として有用である。
【図面の簡単な説明】
【００５８】
【図１】本発明の実施の形態に係るデジタルカメラの外観図
【図２】変身モードを説明する概略図
【図３】本発明の実施の形態に係るデジタルカメラのブロック図
【図４】変身モードの処理の流れを示すフローチャート
【図５】姿勢判別の処理を説明する波形図
【図６】姿勢判別の処理の流れを示すフローチャート
【符号の説明】
【００５９】
１００    デジタルカメラ
１０１    撮像光学系
１０１ａ    手振れ補正レンズ
１０１ｂ    光軸
１０２    フラッシュ
１０３    シャッターボタン
１０４    液晶モニター
１０５    モードダイヤル
１０６    各種操作ボタン
３０１    ＣＣＤイメージセンサー
３０２    ＡＦＥ
３０３    バス
３０４    ＳＤＲＡＭ
３０５    信号処理ＬＳＩ
３０５ａ    ＣＰＵ
３０５ｂ    信号処理部
３０５ｃ    動き検出部
３０５ｄ    縦横判別部
３０６    メモリカード
３０７    ジャイロセンサー
３０８    レンズ駆動回路
【図１】
2010166295.tif 000003
【図２】
2010166295.tif 000004
【図３】
2010166295.tif 000005
【図４】
2010166295.tif 000006
【図５】
2010166295.tif 000007
【図６】
2010166295.tif 000008